(57)【要約】【課題】  簡単な構成で個々のディスクに付属する各種印刷物を収納可能とすると共に、一覧性に優れ美術的鑑賞ができるようにしたディスク収納体を提供する。【解決手段】  長方形の主体を長辺の中央の折線で左右２片に分割して折り重ね可能とし、この主体の一方の片の内側面に第１袋体を重ねて上辺を開口部とする第１収納部を形成すると共に、他方の片の内側面に第２袋体を重ねて上辺を開口部とする第２収納部を形成し、この第２収納部の内側に区画体により上辺を開口部とするディスク収納部を形成してディスク収納体とするという手段を採用した。さらに、上記第１袋体は上記主体の一方の片の内側に上記折線から所定幅の透過部を残して設けると共に、上記第２袋体は上記主体の他方の片の内側の全面に設け、上記ディスク収納部は上記第２収納部の内側に上記折線から所定幅の窓部を残して設けた。【選択図】  図１
2006036261.tif 000002
【特許請求の範囲】
【請求項１】
長方形の主体を長辺の中央の折線で左右２片に分割して折り重ね可能とし、この主体の一方の片の内側面に第１袋体を重ねて上辺を開口部とする第１収納部を形成すると共に、他方の片の内側面に第２袋体を重ねて上辺を開口部とする第２収納部を形成し、この第２収納部の内側に区画体により上辺を開口部とするディスク収納部を形成したことを特徴とするディスク収納体。
【請求項２】
上記第１袋体は上記主体の一方の片の内側に上記折線から所定幅の透過部を残して設けると共に、上記第２袋体は上記主体の他方の片の内側の全面に設け、上記ディスク収納部は上記第２収納部の内側に上記折線から所定幅の窓部を残して設けたものである請求項１記載のディスク収納体。
【請求項３】
上記主体、第１袋体、第２袋体は軟質透明の合成樹脂シートからなり、上記区画体は不織布からなる請求項１又は請求項２記載のディスク収納体。
【発明の詳細な説明】
【技術分野】
【０００１】
この発明は、音楽や画像、動画、プログラム、各種データ等の記録媒体として利用されるＣＤやＤＶＤなどの光ディスク（以下単に「ディスク」という。）を主に収納、保管する収納体に関し、ディスクと共に付属する印刷物等もかさばらずに保管でき、ディスク等の検索や携行にも便利なディスク収納体に関するものである。
【背景技術】
【０００２】
現在、音楽用ＣＤの多くは、ジュエルケースと呼ばれる規格化されたプラスチック製のハードケースに収納されて販売されている。また、記録用のＣＤやＤＶＤ（ＣＤ−Ｒ、ＤＶＤ−Ｒ等）も同様に、プラスチック製ケースに収納されて販売されている。ディスク自体は厚さの薄いものであるが、これに比して、これらの販売用ケースは、各種印刷物を収納することから、相当な厚みを有している。このため、販売用ケースに収納したまま多数のディスクを保管、収納しようとすると、ディスクの枚数に比して多くの収納空間が必要となる。
【０００３】
そこで、従来から、ディスクや付属する印刷物を販売ケースから薄手のファイル体や収納袋に移し替えて保管するためのものが提案されている。これは、収納スペースの節約、及び、ディスクの一覧性の向上や、携行性の向上を目的としたものである。これらのファイル体や収納袋としては、例えば、特許文献１から４に示すようなものがある。
【０００４】
【特許文献１】実公平４−９３５１号公報
【特許文献２】実開平４−２３６９５号公報
【特許文献３】実開平３−１２０４８７号公報
【特許文献４】特許第３３０７８３９号公報
【発明の開示】
【発明が解決しようとする課題】
【０００５】
ところで、例えば音楽用ＣＤの場合、一般的なジュエルケースは規格化された蓋体、トレイ、底体の３部材で構成される。そして、このケースに付属する印刷物も規格化されており、印刷物としては、一般に、蓋体の内側にＣＤのタイトルやアーティストの写真などを印刷したフロントカバーが挿入されると共に、底体の内部に、収録曲の一覧を表示するほか、左右に折り立てた背となるタイトル表示片にＣＤタイトルを表示したバックカバーが収納されている。さらに、歌詞や解説などを印刷した小冊子としてのブックレットが蓋体の内側に収納、付属する。また、ケース外側にＣＤタイトル等を表示した帯が付属することもある。しかし、上述した従来のファイル体等は、これら全てを一覧性を持って収納するようにはなっていなかった。
【０００６】
例えば、上述した特許文献１に記載のディスクケースは、内袋と外袋からなり、内袋の一方の片面上部を外袋の内面に接着した簡単な構成であるから、付属印刷物を収納しても一覧性が無く、また、縦に並べても横積みしても、その集合から目的のものを探し出すことは容易ではない。また、特許文献２に記載のディスクケースは、外袋に蓋体を連成し、この蓋体に押え帯を形成して歌詞カードを挿入支持するように構成したものであるが、歌詞カードの収納を主体としており、他の印刷物の収納ができず、見出し機能も無いことから、利便性に欠けるものとなっている。また、特許文献３に記載のファイル式ＣＤレコードケースは、タイトルポケットにより検索性に優れるものの、ポケットが一つしか無く、全ての印刷物を収納するには不十分であると共に、ポケットの開口が横方向に開口しているので、携行に際して収納物が脱落するおそれがある。さらに、特許文献４に記載のファイル体はディスクやカードの収納部のほかに区画体によって帯収納部を形成したもので、検索性を有するものの、構造が複雑で製造工程が複雑化するため、比較的低価格を要求されるこの種の物品としては、コストが高くなるという問題がある。
【０００７】
このような実情に鑑み、本発明では、簡単な構成で個々のディスクに付属する各種印刷物を収納可能とすると共に、一覧性に優れ美術的鑑賞ができるようにしたディスク収納体を提供するものである。また、印刷物のタイトル部分を生かしてタイトル表示できるようにして見出し性を向上させると共に、携行性や省スペース性に優れたディスク収納体を提供するものである。
【課題を解決するための手段】
【０００８】
本発明は、上記課題を解決するため、長方形の主体を長辺の中央の折線で左右２片に分割して折り重ね可能とし、この主体の一方の片の内側面に第１袋体を重ねて上辺を開口部とする第１収納部を形成すると共に、他方の片の内側面に第２袋体を重ねて上辺を開口部とする第２収納部を形成し、この第２収納部の内側に区画体により上辺を開口部とするディスク収納部を形成してディスク収納体とするという手段を採用した。
【０００９】
さらに、上記第１袋体は上記主体の一方の片の内側に上記折線から所定幅の透過部を残して設けると共に、上記第２袋体は上記主体の他方の片の内側の全面に設け、上記ディスク収納部は上記第２収納部の内側に上記折線から所定幅の窓部を残して設けるという手段を採用した。
【００１０】
また、上記主体、第１袋体、第２袋体は軟質透明の合成樹脂シートで構成し、上記区画体は不織布で構成するという手段を採用した。
【発明の効果】
【００１１】
上記構成を採用した本発明に係るディスク収納体は、合計で３つの収納部を形成しているので、ディスクと共に、付属する印刷物の全てを収納できると共に、見開きにより一覧性に優れている。また、表面にフロントカバーを表示できるので、美術的鑑賞にも対応している。
【００１２】
さらに、透過部及び窓部を通してバックカバーのタイトル表示片を見ることができるので、該部を見出しとして活用でき、検索性に優れたものとなった。
【００１３】
全ての収納部の開口部が一方向にあるので、携帯時に不用意に内容物が脱落することがなく、区画体を不織布で構成しているので、ディスクの記録盤面を保護し、傷を付けることがない。
【００１４】
簡単な構成なので、安価に提供できると共に、軽量コンパクトで携帯性に優れ、さらに収納時にも省スペースが期待できる。
【発明を実施するための最良の形態】
【００１５】
以下、本発明に係るディスク収納体の好ましい実施形態を図面について説明する。図１はディスク収納体を開いた状態の斜視図である。また、図２（Ａ）は開いた状態の正面図、同図（Ｂ）は図（Ａ）の矢印方向の断面図である。さらに図３は使用方法の説明図である。
【００１６】
図において、１はその長辺の中央の折線１ａにより左右２片に分割し、二つ折りに折り重ね可能とした長方形の主体で、軟質透明の合成樹脂シートで構成したものである。２は上記主体１の一方（左方）の片面内側に上記折線１ａから所定幅の透過部３を残して重ねる第１袋体で、上辺を開口部４ａとして残し、他の３辺の縁部を溶着線２ａで閉止して、第１収納部４を構成している。また、５は上記主体１の他方（右方）の片面内側の全面に重ねる第２袋体で、同様に上辺を開口部６ａとして残し、他の３辺の縁部を溶着線５ａで閉止して、第２収納部６を構成している。この第１袋体２及び第２袋体５も、上記主体１と同じ軟質透明の合成樹脂シートで構成する。また、上記第１収納部４及び第２収納部６のそれぞれの開口部４ａ、６ａには、収納物の取り出しを容易とするために、それぞれ切欠部４ｂ、６ｂを設けている。
【００１７】
続いて、７は上記第２袋体５の内側に、上記折線１ａから所定幅の窓部８を残して重ねる区画体で、上辺を開口部９ａとして残し、他の３辺を溶着線７ａ及び上記溶着線５ａで閉止して、上記第２収納部６の内側にディスク収納部９を構成したものである。この区画体７は不織布で構成することで、収納するディスク（Ｄ）の記録盤面に傷が付かないようにしている。なお、９ｂはディスク（Ｄ）の取り出しを容易とするため、ディスクに設けられる中心孔と対応する位置に設けた窓孔である。また、ディスク収納部９の左右辺上部に、その対向距離がディスク直径とほぼ同じ間隔を有する突出係止部１０、１０を設け、ディスクの不用意な脱落を防止している。
【００１８】
なお、上記構成のディスク収納体は、特にその大きさを限定するものではないが、例えば一般的なＣＤやＤＶＤは直径が１２ｃｍに規格化され、付属印刷物の大きさも規格化されているので、それに見合う大きさを採用することが望ましい。例えば主体は見開いた時の長さが約２９ｃｍ、高さが１２．５ｃｍ程度であり、ディスク収納部の内径も１２．５ｃｍ程度である。
【００１９】
次に、上記構成のディスク収納体の使用方法について図３を参照して説明する。市販の音楽用ＣＤを例にとると、前述したように、規格のプラスチックケースのトレイにディスク（Ｄ）が収納されると共に、印刷物として蓋体内側にフロントカバー（Ｆ）、ブックレット（Ｎ）が収納され、底体内側には左右にタイトル表示片（Ｂ１）を有するバックカバー（Ｂ）が収納されている。本発明のディスク収納体はこれらを全部収納できる。即ち、図３に示すように、ディスク（Ｄ）をディスク収納部９に収納する。この場合、区画体７が不織布で構成されるので、ディスクの記録盤面が傷つかない。フロントカバー（Ｆ）は表側を外に向けて、ブックレット（Ｎ）と共に第１収納部４に収納する。主体１等は透明素材で構成されているので、これにより、収納体を二つ折りにした時にフロントカバー（Ｆ）のタイトルやアーティストの写真などが鑑賞でき、開いた時にはブックレット（Ｎ）の表紙が鑑賞できる。バックカバー（Ｂ）は左右のタイトル表示片（Ｂ１）を内側に折り、表側を外に向けて第２収納部６に収納する。これにより、収録曲の一覧などが見やすくなる。また、タイトル表示片（Ｂ１）は第２収納部６の窓部８に位置し、窓部８を通じてタイトルを確認できる。また、収納体を二つ折りにした時にも、第１収納部４の横の透過部３を通じて窓部８に表示されたタイトルを読みとることができ、多数の収納体を重ねた時にも、検索性に優れている。
【００２０】
上述したように、本発明に係るディスク収納体は、簡単な構成であるので安価に提供できると共に、付属の印刷物等を全て収納できるので一覧性にも優れている。また、軽量でコンパクトなので、収納時の省スペースが期待できると共に、携帯性にも優れ、携帯時に不用意に内容物が脱落することがない。
【図面の簡単な説明】
【００２１】
【図１】本発明に係るディスク収納体を開いた状態の斜視図である。
【図２】（Ａ）はディスク収納体を開いた状態の正面図、（Ｂ）は（Ａ）の矢印方向の断面図である。
【図３】ディスク収納体の使用方法の説明図である。
【符号の説明】
【００２２】
１    主体
２    第１袋体
３    透過部
４    第１収納部
４ａ  開口部
５    第２袋体
６    第２収納部
６ａ  開口部
７    区画体
８    窓部
９    ディスク収納部
９ａ  開口部
【図１】
2006036261.tif 000003
【図２】
2006036261.tif 000004
【図３】
2006036261.tif 000005